(57)【要約】本発明は、第１の記録速度での書込みに適した熱特性を有する第１の記録可能材料を有する第１の領域（１２）と、第２の記録速度での書込みに適した熱特性を有する第２の記録可能材料を有する第２の領域（１３）とを少なくとも有する情報担体に関連する。第２の記録速度は第１の記録速度より大きい。
2006520981.tif 000002
【特許請求の範囲】
【請求項１】
第１の記録速度での書込みに適した熱特性を有する第１の記録可能材料を有する第１の領域と、
第２の記録速度での書込みに適した熱特性を有する第２の記録可能材料を有する第２の領域と、
を少なくとも有し、
前記第２の記録速度は、前記第１の記録速度より大きい情報担体。
【請求項２】
前記第１の領域及び前記第２の領域は、前記情報担体の同一の層上にある請求項１記載の情報担体。
【請求項３】
前記情報担体は、中央孔を有し、
前記第１の領域は、前記第２の領域より前記中央孔に近い請求項２記載の情報担体。
【請求項４】
前記情報担体は、少なくとも２つの情報層を有し、
第１の情報層は、第１の記録速度での書込みに適した熱特性を有する第１の記録可能材料を有し、
第２の情報層は、第２の記録速度での書込みに適した熱特性を有する第２の記録可能材料を有し、
前記第２の記録速度は、前記第１の記録速度より大きい請求項１記載の情報担体。
【請求項５】
前記情報担体は、前記第１の領域及び前記第２の領域の位置に関する情報が記録された位置領域を有する請求項１記載の情報担体。
【請求項６】
前記情報担体は、前記第１の領域及び前記第２の領域の記録速度に関する情報が記録された速度領域を有する請求項５記載の情報担体。
【請求項７】
請求項５又は６に記載の情報担体上に情報を記録するための光走査装置であって、
前記光走査装置は、第１の記録モード及び第２の記録モードを有し、
前記装置は、記録モードを選択する選択手段と、前記位置領域上に記録された情報を読出しする手段と、前記情報及び前記選択された記録モードに基づいて書込み位置を決定する手段と、を有する光走査装置。
【請求項８】
請求項７に記載の光走査装置を有するポータブル装置であって、
前記選択手段は、前記ポータブル装置のパワーモードに基づいて記録モードを選択するよう適応される請求項７記載のポータブル装置。
【発明の詳細な説明】
【技術分野】
【０００１】
本発明は、記録可能な情報担体に係る。
【０００２】
本発明は更に、そのような情報担体上に情報を記録するための光走査装置に係る。
【０００３】
本発明は特に、光データ記憶装置、及び、特にポータブル装置である、記録可能ディスク上にデータを記録するための光ディスク機器に関連する。
【背景技術】
【０００４】
光ビームによって情報担体上にデータを格納することは広く用いられている。例えば、ラップトップといったポータブル記録機器が既に利用可能である。ユーザが、例えば、自分のラップトップのハードディスク内に格納された情報を光ディスクといった情報担体上に記録することを所望する場合、この記録にかかる時間が相対的に短いことが好適である。従って、記録機器は、相対的に速い記録速度を有することが好適である。しかし、高速での情報記録は、大量のパワーを消費するので、移動環境、即ち、記録装置が電池によって動作されるとき、高速記録はしばしば達成することができない。
【０００５】
従って、記録装置は少なくとも２つの記録速度、即ち、移動環境にて使用される相対的に遅い記録速度と、例えば、記録装置が、主供給源と電源コードによって接続されるときに十分なパワーが記録装置に供給されるときに使用される相対的に速い記録速度を有することが好適である。
【０００６】
様々な速度での情報担体上への書込みを可能にする記録装置が周知である。様々な記録速度で記録されることが可能な情報担体も周知である。例えば、２００２年５月に許可された特許文献１は、３つの異なる記録速度で書込み可能なリライタブル情報担体を記載する。この特許では、最大記録速度は、最低記録速度の４倍速い。記載される情報担体は、これらの記録速度で書込み可能な相変化光記録媒体を有する。しかし、このような相対的大きい範囲の記録速度で書込み可能な記録媒体は、製造するのが困難であり、また、異なる記録速度でこのような情報担体上に情報を記録可能にするためには複雑な方法が必要となる。特に、この特許の中に記載されるように、記録材料の組成及び記録方法が、使用される記録速度の範囲に応じて調整されなければならない。更に、利用可能な記録速度の範囲が相対的に大きいとは言え、この範囲は限られており、また、低い記録速度の４倍より速い記録速度を有するリライタブル情報担体を有することが不可能である。
【０００７】
様々な記録速度で記録されることが可能なＷＯＲＭ（ライトワンスリードメニー）情報担体も周知である。しかし、この情報担体の記録速度の範囲も限られており、また、記録速度の範囲が広くなるほど、記録材料を製造することがより困難となる。
【特許文献１】米国特許第６，３８８，９７８号
【発明の開示】
【発明が解決しようとする課題】
【０００８】
本発明は、製造が容易で、また、様々な記録速度で記録可能な記録可能情報担体を提供することを目的とする。
【課題を解決するための手段】
【０００９】
このために、本発明は、第１の記録速度での書込みに適した熱特性を有する第１の記録可能材料を有する第１の領域と、第２の記録速度での書込みに適した熱特性を有する第２の記録可能材料を有する第２の領域とを少なくとも有し、第２の記録速度は第１の記録速度より大きい情報担体を提供することを提案する。
【００１０】
背景技術では、同じ記録材料が情報担体に使用される。しかし、相対的に速い速度で書込みされるためには、記録材料は、相対的に遅い速度で書込みされるより温度に敏感である必要がある。このことは、単一の記録材料が使用される場合に記録速度の範囲が制限される理由を説明する。
【００１１】
本発明では、少なくとも２つの異なる記録材料が、情報担体に使用される。第１の記録材料は、相対的に遅い速度での書込みに適するよう選択されることが可能であり、第２の記録材料は、相対的に速い速度での書込みに適するよう選択されることが可能である。従って、そのような情報担体は、製造が容易である。何故なら、様々な記録速度に適した様々な熱特性を有する多数の材料が周知であり、また、使用することが可能だからである。更に、得られる記録速度の範囲は相対的に広く、というのは、様々な記録材料を用いることが可能であり、これらは、非常に様々な記録速度を有するからである。
【００１２】
１つの有利な実施例では、第１の領域及び第２の領域は、情報担体の同一の層上にある。これは、従来のレコーダ及びリーダに使用することの可能な単層情報担体を提供することを可能にする。
【００１３】
情報担体は中央孔を有し、第１の領域は、第２の領域より中央孔に近いことが有利である。書込み時に回転される記録可能なディスクでは、同一の記録速度で記録するためには、ディスクの外側領域は、ディスクの内側領域より低い速度で回転される必要がある。従って、ディスクの外側領域における記録に消費されるパワーは少ない。従って、外側領域が高速記録速度を有する材料を有する場合、装置が移動環境にあっても、この領域における書込みは可能である。
【００１４】
１つの好適な実施例では、情報担体は、少なくとも２つの情報層を有し、第１の情報層は、第１の記録速度での書込みに適した熱特性を有する第１の記録可能材料を有し、第２の情報層は、第２の記録速度での書込みに適した熱特性を有する第２の記録可能材料を有し、第２の記録速度は、第１の記録速度より大きい。
【００１５】
このような多層情報担体は、特に製造が容易である。蒸着又は２層ＤＶＤ（ＤＶＤは、デジタルバーサトルディスクを意味する）の製造に一般的に用いられる技術といった従来の技術を使用することが可能である。
【００１６】
本発明は更に、上述したような情報担体上に情報を記録するための光走査装置に関連し、上述の情報担体は、第１の領域及び第２の領域の位置に関する情報が記録された位置領域を有し、光走査装置は、第１の記録モード及び第２の記録モードを有し、また光走査装置は、記録モードを選択する選択手段と、位置領域上に記録された情報を読出しする手段と、情報及び選択された記録モードに基づいて書込み位置を決定する手段を有する。
【００１７】
本発明は更に、そのような光走査装置を有するポータブル装置に関連する。選択手段は、ポータブル装置のパワーモードに基づいて記録モードを選択するよう適応されることが有利である。パワーモードは、ポータブル装置に供給されるパワーの測定によって検出されることが可能である。ポータブル装置は更に、例えば、ポータブル装置に電源コードが取付けされているか否かを検出することによってパワーモードを検出することが可能である。
【発明を実施するための最良の形態】
【００１８】
本発明の上述の及び他の面は、以下に説明する実施例から明らかであり、又は、実施例を参照することによって説明する。
【００１９】
本発明を、添付図面を参照しながら、例を用いてより詳細に説明する。
【００２０】
図１に、本発明の有利な実施例による情報担体を示す。本発明の情報担体は、中心孔１０と、位置領域１１と、第１の領域１２と、第２の領域１３を有する。第１の領域１２は、第１の速度での書込みに適した第１の記録可能材料を有し、第２の領域１３は、第２の速度での書込みに適した第２の記録可能材料を有する。第２の速度は第１の速度より大きい。
【００２１】
第１の材料及び第２の材料は、ＷＯＲＭ（ライトワンスリードメニー）材料であることが可能である。この場合、第１の領域１２及び第２の領域１３への書込みは、光ビームによってＷＯＲＭ材料を劣化させることにある。第１の領域１２及び第２の領域１３の表面においてピットとランドが形成される。このピット及びランドは、情報担体上に書込みされた情報を有する。
【００２２】
第１の材料及び第２の材料は、ＲＷ（リライタブル）材料であることも可能である。ＲＷ材料の例は、相変化光記録材料である。光ビームによる相変化光記録材料上への書込みは、結晶相及び非結晶相間、又は、２つの異なる結晶相間での変化に基づく。従って、情報は、記録材料上に書込みされ、その後光ビームによって容易に消去可能である。
【００２３】
或いは、第１の記録材料及び第２の記録材料のうち１つの材料がＷＯＲＭ材料で、もう１つの材料がＲＷ材料であることが可能である。従って、「記録可能」という用語は、ＷＯＲＭ又はＲＷを意味する。
【００２４】
本発明の情報担体は、様々な記録速度での書込みに適した様々な記録材料を有する２つ以上の領域を有することが可能であることを示すことが重要である。例えば、図１の情報担体は、第３の記録速度での書込みに適した熱特性を有する第３の記録材料を有する第３の領域を有することが可能である。
【００２５】
以下に説明する例では、図１の情報担体は、第１の領域１２に第１のＲＷ材料を、第２の領域１３に第２のＲＷ材料を有する。第１の材料及び第２の材料は、異なる記録速度を有する。記録速度は、通常、線記録速度として定義される。ＣＤ−ＲＷ（コンパクトディスク−リライタブル）では、単一の記録速度が決定されおり、これは毎秒１．２乃至１．４メートルである。この単一の記録速度から他の記録速度を定義することができ、例えば、毎秒２．４乃至２．８メートルである２倍の記録速度、毎秒３．６乃至４．２メートルである３倍の記録速度等である。以下に説明する例は、１倍の記録速度を有するＲＷ材料を有する第１の領域１２と、６倍の記録速度を有するＲＷ材料を有する第２の領域１３を有する情報担体に適用される。この情報担体では、情報の密度は、第１の領域１２と第２の領域１３とにおいて同じである。情報を書込みするために、ＲＷ材料は、光ビームによって局所的に加熱され、それにより、相変化を引き起こす。記録速度は、第２の領域１３において書込みが行われているときにより速いので、第２の記録材料は、第１の材料におけるより第２の材料においてより高速に相変化が生じるよう第１の記録材料より一層温度に敏感でなければならない。
【００２６】
従って、第２のＲＷ材料は、６倍の記録速度での書込みに適した熱特性を有するよう選択され、第１の記録材料は、１倍の記録速度での書込みに適した熱特性を有するよう選択される。
【００２７】
様々な記録速度を有する材料は、ＧｅｗＩｎｘＳｂｙＴｅｚと表現することが可能であり、ここでは、ｗ及びｘは０乃至５パーセントであり、ｙは７０乃至９０パーセントであり、ｚは５乃至３０パーセントであり、ｗ、ｘ、ｙ、及びｚの合計は１００パーセントである。この組成を変えることによって、即ち、ｗ、ｘ、ｙ、及びｚを変えることによって、様々な熱特性を有する様々な材料を得ることが可能である。このような材料は、ＣＤ−ＲＷにおける使用に知られており、ｗ、ｘ、ｙ、及びｚの値に依存して１倍乃至１０倍の記録速度を有することが可能である。
【００２８】
第１の領域１２及び第２の領域１３において異なる記録材料を有する情報層を有する図１の情報担体は、容易に製造可能である。例えば、図１の情報担体の形状と、第１の領域１２の形状を有する穴とを有するマスクが作成可能である。このマスクが、情報担体の上に置かれ、第１の記録可能材料がマスクを通して情報担体上に、例えば、スパッタ堆積を用いて堆積される。マスクは、例えば、第１の領域１２の４分の１又は半分である第１の領域の一部の形状を有する穴のついた仕切版であることが可能である。記録材料の堆積時に、マスク又は情報担体が回転させられる。これは、第１の記録材料のより均等な堆積をもたらす。マスク及び情報担体は、第１の材料の堆積時に、対向する方向に回転されることが可能である。次に、第２の領域１３上に第２の記録材料を堆積するために別のマスクが使用される。
【００２９】
６倍の記録速度での書込みに必要なパワーは、１倍の記録速度での書込みに必要なパワーより高い。実際に、６倍の記録速度で書込みするためには、情報担体は、１倍の記録速度で書込みするより高い速度で回転される必要がある。更に、光ビームも、１倍の記録速度での書込みより高い周波数のパルスにされなければならない。
【００３０】
従って、本発明は、電池によって動作されるポータブル装置における使用に特に有利である。そのような電池によって動作されるポータブル装置は、パワーが電池から供給される移動環境にあることが可能である。この場合、利用可能なパワーは相対的に低い。ポータブル装置は更に、例えば、電源コードに接続されるクレードルの中に配置されるときの固定環境にあることも可能である。この場合、利用可能なパワーはより大きい。ユーザが、移動環境においてポータブル装置を用いて本発明に従って情報担体上に情報を書込むことを望む場合、情報は、第１の領域１２に書込みされることが可能である。何故なら、そのような書込みに必要とされるパワーは低く、このパワーは、電池によって供給可能だからである。ユーザが、固定環境においてポータブル装置を用いて情報を書込むことを望む場合、情報は、第２の領域１３に書込みされることが可能である。何故なら、そのような高い記録速度での書込みに必要とされるパワーが、電源コードによって供給可能だからである。従って、異なる記録速度で書込みをするために１つの情報担体しか必要でない。
【００３１】
図１の例では、第１の領域１２は中心穴１０の付近に位置付けられ、第２の領域１３は、情報担体の外側領域に位置付けられる。当然ながら、これらの位置は逆にされることも可能である。しかし、情報担体の内側領域に第１の領域１２を、情報担体の外側領域に第２の領域１３を有することは、特に有利である。実際に、同じ記録速度、即ち、同じ線記録速度に対し、ディスクの外側領域における書込みは、ディスクの内側領域における書込みに対するより低いディスクの回転速度を必要とする。従って、ユーザが、自分のポータブル装置が移動環境にあるときに第２の領域１３に情報を書込むことを所望する場合、必要なパワー量は、第２の領域１３がディスクの内側領域に位置付けられる場合より少ない。
【００３２】
しかし、情報担体の外側領域に第１の領域１２を、情報担体の内側領域に第２の領域１３を有することも有利である。実際に、ユーザが、自分のポータブル装置が移動環境にあるときに第１の領域１２に情報を書込みすることを所望する場合、必要なパワー量は、第１の領域１２がディスクの内側領域に位置付けられる場合より少ない。従って、情報担体上の書込みは、ポータブル装置において利用できるパワーが少ない場合でも可能である。この場合、ポータブル装置が固定環境にあるときに第２の領域１３への情報の書込みは、第２の領域１３がディスクの外側領域にある場合より多くのパワーを必要とするが、固定環境では利用可能なパワーは相対的に大量であるので、問題ではない。
【００３３】
図１の情報担体は、第１の領域１２及び第２の領域１３の位置に関する情報を有する位置領域１１を有する。この位置領域は、記録速度に依存して情報が書込みされるべき位置を知るために、この情報担体を使用する光走査装置に特に有用である。位置領域は更に、各領域の記録速度に関する情報を有してもよく、又は、この情報は別個の速度領域に書込みされることが可能である。記録速度に関する情報は、記録速度自体であることが可能であるが、又は、書込み方法といった他の情報であることも可能である。
【００３４】
例えば、第１の領域１２及び第２の領域１３の位置及び記録速度に関する情報は、情報担体のリードイン領域に記録され得る。情報担体の製造時に、記録材料上にプリグルーブをプリントするためにスタンパが使用される。プリグルーブは、書込み時にトラッキングのために使用される。スタンパは、リードイン領域内に情報を記録するために使用することが可能である。或いは、リードイン領域における情報は、リードイン領域が記録可能材料を有する場合には、光ビームによって製造時に書込みされることが可能である。
【００３５】
図２は、本発明の好適な実施例による情報担体を示す。この情報担体は、カバー層２１と、第１の情報層２２と、第１のスペーサ層２３と、第２の情報層２４と、第２のスペーサ層２５と、第３の情報層２６と、基板２７を有する。第１の情報層２２は、第１の記録速度での書込みに適した熱特性を有する第１の記録可能材料を有し、第２の情報層２４は、第２の記録速度での書込みに適した熱特性を有する第２の記録可能材料を有し、第３の情報層２６は、第３の記録速度での書込みに適した熱特性を有する第３の記録可能材料を有する。例えば、第１の記録材料は、１倍のＲＷ材料であり、第２の記録可能材料は、３倍のＲＷ材料であり、第３の記録可能材料は、６倍のＲＷ材料である。
【００３６】
このような情報担体は、特に製造が容易である。実際には、ＤＶＤの製造に一般的に用いられる技術といった従来の技術を用いることが可能である。例えば、第３の記録可能材料は、蒸着によって基板２７上に堆積される。第３の情報層２６が得られる。次に、第２のスペーサ層２５が第３の情報層２６上に堆積される。次に、第２の記録可能材料が、第２のスペーサ層２５上に堆積される。第２の情報層２４が得られる。次に、第１のスペーサ層２３が、第２の情報層２４上に堆積される。次に、第１の記録可能材料が、第１のスペーサ層２３上に堆積される。第１の情報層２２が得られる。次に、カバー層２１が、第１の情報層上に堆積される。
【００３７】
このような情報担体は、カバー層２１を通して光ビームによって走査される。図２に示すように最低の記録速度を有する情報層は、カバー層２１の近くにあることが好適である。実際に、第２の情報層２４及び第３の情報層２６上への光ビームを用いた書込みは、第１の情報層２２上への書込みより多くのパワーを必要とする。何故なら、光ビームの一部が、第１の情報層２２において吸収されるからである。第１の情報層２２は、利用可能なパワーが低い移動環境で使用されることを意図するので、第１の情報層２２上への書込みは、第１の情報層２４及び第３の情報層２６によって混乱されないことが好適である。
【００３８】
更に、第１の情報層２２は、第２の情報層２４及び第３の情報層２６上への書込みに十分な書込みパワーがあるよう第２の情報層２４及び第３の情報層２６より低い吸収を有することが好適である。これは、図２に示す情報担体の場合である。何故なら、第１の情報層２２は、低い記録速度を有する記録材料を有し、これは、温度感受性が低いので、高い記録速度を有する記録材料より低い吸収を有するからである。
【００３９】
同様の理由から、第２の情報層２４は、第３の情報層２６より低い吸収を有し、また、第３の情報層２６よりカバー層２１の近くに位置付けられることが好適である。
【００４０】
図３は、本発明のポータブル装置を示す。このポータブル装置は、パワーインタフェース３１と、電池３２と、選択手段３３と、制御手段３４と、光ピックアップユニット３５を有する。選択手段３３と、制御手段３４と、光ピックアップユニット３５は、光走査装置３７の一部である。光走査装置３７は、情報担体３６を受容するよう適応される。
【００４１】
このようなポータブル装置の例は、移動電話機又はコードレス電話機、パームトップコンピュータ、ラップトップ、デジタルカメラ、又はカムコーダである。パワーは、主供給源に接続されるＡＣ／ＤＣパワーアダプタによってポータブル装置に供給されることが可能であり、このアダプタは、パワーインタフェース３１に接続される。移動環境では、パワーは、蓄電池であってもよい電池３２によって供給される。
【００４２】
光走査装置３７は、例えば、スモールフォームファクタ光ドライブである。光走査装置は、少なくとも第１の記録モード及び第２の記録モードを有する。ユーザが、情報担体３６上に情報を書込むことを所望する場合、選択手段３３が記録モードを選択する。これは、環境に応じて行われることが可能である。選択手段が、パワーがパワーインタフェース３１において供給されていると検出すると、即ち、ポータブル装置は固定環境にあると検出すると、高速記録モードが選択される。選択手段３３が、パワーがパワーインタフェース３１において供給されていないと検出すると、即ち、ポータブル装置が移動環境にあると検出すると、低速記録モードが選択される。記録モードは更に、利用可能なパワーの測定に基づいて選択されることも可能である。これは、選択手段３３によって行われることが可能である。例えば、移動環境では、選択される記録モードは、電池３２のパワーレベルに依存することが可能である。記録モードは更に、ポータブル装置のインタフェースによってユーザによって選択されることも可能である。
【００４３】
次に、ポータブル装置は、選択された記録モードに対応する記録速度を知らなければならない。ポータブル装置並びに情報担体３６が標準であることによって、制御手段３４は、情報担体３６を読出しすることなく情報担体３６において利用可能な記録速度を知っていることも可能である。情報担体３６は、第１の領域及び第２の領域の記録速度が記録された速度領域を有することが好適である。この場合、制御手段３４は、利用可能な記録速度を検出するために、光ピックアップユニット３５に速度領域を読出しするよう依頼する。次に、利用可能な記録速度と選択された記録モードに応じて、制御手段３４は、情報が書込みされなければならない記録速度を決定する。例えば、情報担体３６が、１倍及び６倍のＲＷ材料を有する図１に情報担体であり、高速記録モードが選択される場合は、情報は、６倍の記録速度で書込みされる。
【００４４】
記録速度が一旦選択されると、情報が情報担体３６上に書込みされる。制御手段３４は最初に、情報が書込みされなければならない場所について知らなければならない。ポータブル装置並びに情報担体３６が標準である場合は、制御手段３４は、情報担体３６を読出しすることなく情報担体３６の領域の位置を知ることが可能である。情報担体３６は、第１の領域及び第２の領域の位置に関する情報が記録された位置領域を有することが好適である。この場合、制御手段３４は、情報担体３６の様々な領域の位置、又は、選択された記録速度に対応する領域の位置のみを検出するよう光ピックアップユニット３５に位置領域を読出しするよう依頼する。次に、制御手段３４は、選択された記録モード及び位置領域内に記録される情報に依存して書込み位置を決定する。領域の位置に関する情報は、例えば、情報担体の第１のトラックから始まる、その領域が始まるトラックの番号であり得る。
【００４５】
次に、制御手段３４は、光ビームのパルス周波数といった光ピックアップユニット３５のパラメータを設定する。情報担体３６の回転速度も記録速度に応じて設定され、そして、情報の書込みが行われる。
【００４６】
上述した例は、２つの記録モードを有するポータブル装置に適用される。当然ながら、本発明は、２つ以上の記録モードを有するポータブル装置にも適用される。例えば、３つの記録モードを有するポータブル装置を、図２の情報担体と共に用いることが可能である。例えば、電池３２のパワーレベルに基づいて、低速記録モード、中間速度記録モード、及び高速記録モードを決定することが可能である。
【００４７】
図４は、本発明の光走査装置を示す。このような光走査装置は、光ビーム４０２を生成するための放射源４０１と、コリメータレンズ４０３と、ビームスプリッタ４０４と、対物レンズ４０５と、サーボレンズ４０６と、検出手段４０７と、測定手段４０８と、制御器４０９を有する。この光学装置は、情報担体４１０を走査するためのものである。この例では、情報担体４１０は、２つの情報層４１１及び４１２を有し、これらの情報層４１１及び４１２は、異なる記録速度を有する２つの記録材料を有する。
【００４８】
書込み動作又は読出し動作であり得る走査動作時に、情報担体４１０は、放射源４０１によって生成された光ビーム４０２によって走査される。コリメータレンズ４０３及び対物レンズ４０５が、光ビーム４０２の焦点を情報担体４１０の情報層上に合わせる。コリメータレンズ４０３及び対物レンズ４０５は、焦点合わせ手段である。走査動作時に、情報層上の光ビーム４０２の位置合わせの誤差に対応する焦点誤差信号が検出され得る。この焦点誤差信号は、光ビーム４０２の焦点誤差を補償するよう対物レンズ４０５の軸方向位置を補正するために用いられ得る。対物レンズ４０５を軸方向に動かすためにアクチュエータを駆動する信号が制御器４０９に送信される。
【００４９】
焦点誤差信号及び情報層上に書込みされるデータは、検出手段４０７によって検出される。情報担体４０１によって反射される光ビーム４０２は、対物レンズ４０５によって平行ビームに変更され、ビームスプリッタ４０４によってサーボレンズ４０６に到達する。次に、反射ビームは検出手段４０７に到達する。
【００５０】
放射源４０１と、コリメータレンズ４０３と、ビームスプリッタ４０４と、対物レンズ４０５と、サーボレンズ４０６と、検出手段４０７と、測定手段４０８と、制御器４０９は、光ピックアップユニットを形成する。この光ピックアップユニットは、情報担体４１０全体が走査可能であるよう平行移動されることが可能である。
【００５１】
この光学装置は更に、情報担体４１０を受容するクランパ４１３を有する。情報担体４０１は、このクランパ４１３に取り付けられる。クランパ４１３は、ロータ４１４によって回転可能である。光走査装置は更に、記録モードを選択するための選択手段４１５を有する。この選択手段４１５は、ポータブル装置から記録モードを単純に受信することも可能であり、この記録モードは、ポータブル装置によって決定されている。走査装置は更に、記録モードに応じて、光ピックアップユニット並びにロータ４１４を制御する制御手段４１６を有する。制御手段４１６は、図３において説明したように記録速度の決定を行うことが可能である。制御手段は、ロータ４１４の回転速度が記録速度に適応するようロータ４１４の回転速度を設定する。制御手段４１６は更に、光源４０１のパルス周波数が記録速度に適応するようパルス周波数も設定する。制御手段は更に、光ピックアップユニットの半径方向位置といった光ピックアップユニットの別のパラメータも制御する。
【００５２】
尚、別の実施例では、情報担体４１０に書込みされる情報に対応する信号は、透過において、情報担体４１０に対して、対物レンズ４０５、サーボレンズ４０６、及び検出手段４０７の反対側に配置され、第２の対物レンズ、第２のサーボレンズ、及び第２の検出手段によって検出されることが可能である。
【００５３】
更に、別の実施例では、情報担体４１０は、担体全体の後に、アドレス指定されたものも含む全ての情報層を透過したビームを反射する鏡を有することが可能である。この場合、図４に示す光走査装置は、データを読出しするために使用することが可能である。
【００５４】
請求項における任意の参照符号は、請求項を制限するものと解釈すべきではない。「有する」という動詞及びその活用形の使用は、任意の請求項に記載される素子以外の素子の存在を排除するものではないことは明らかである。単数形で示す素子は、その素子が複数存在することを排除するものではない。
【図面の簡単な説明】
【００５５】
【図１】本発明の有利な実施例による情報担体を示す図である。
【図２】本発明の好適な実施例による情報担体を示す図である。
【図３】本発明のポータブル装置を示す図である。
【図４】本発明の光走査装置を示す図である。
【図１】
2006520981.tif 000003
【図２】
2006520981.tif 000004
【図３】
2006520981.tif 000005
【図４】
2006520981.tif 000006
【国際調査報告】
2006520981.tif 000007
2006520981.tif 000008